(57)【特許請求の範囲】
【請求項１】
複数の光ファイバに接続されて複数の光信号を送受信する光伝送システムであって、受信した複数の光信号をＲＸ部においてそれぞれデジタル信号に変換し、デジタル出力および／またはＤ／Ａ（デジタルからアナログへ）変換した後にアナログ出力する系列と、ＲＸ部で変換した複数のデジタル信号をＴＸ部においてそれぞれ光信号に変換して複数の光ファイバで送信する系列の２系列に分岐する機能を装備したユニットを連続的に接続した減衰または劣化のない長距離伝送可能な光伝送システムにおいて、
各ユニットは、
前記ＲＸ部から出力されるデジタル信号を任意の信号に変換して出力可能とするとともに、光信号の他にデジタル信号、デジタルデータの各種信号を入力できる機構およびアナログ信号を入力してＡ／Ｄ変換する機構を装備したことを特徴とする各ユニットから入力可能な光伝送システム
【請求項２】
前記ユニットは、
受信した光信号をＲＸ部で変換したデジタル信号または、入力されたデジタル信号、デジタルデータおよびアナログ信号をＡ／Ｄ変換したデジタル信号が入力されるディップスイッチ、トグルスイッチ、リモコン（赤外線、電波）等のセレクタを備えており、該セレクタは入力された各種信号から信号を選択してＴＸ部に伝送することを特徴とする前記請求項１記載の各ユニットから入力可能な光伝送システム
【請求項３】
前記ユニットは、各ユニットに入力される複数の信号に対応した複数のＲＸ部、および／またはＴＸ部を追加することにより多入力、多出力に対応できることを特徴とする請求項１乃至２記載の各ユニットから入力可能な光伝送システム
【発明の詳細な説明】
【０００１】
【発明の属する技術分野】
本発明は、光伝送システムに関し、特にビデオ信号、オーディオ信号、データ信号を減衰または劣化させることなく電送するとともに各送受信ユニットにおいて出力する事および入力することも可能な低価格で省スペースな長距離伝送に適した各ユニットから入力可能な光伝送システムに関する。
【０００２】
【従来の技術】
従来の光伝送システムでは連続伝送する際に、スプリッターで分光して再伝送する方式が採用されているが、スプリッターを使用する方式では光信号を分化しているため減衰し透過性が悪くなるのが一般的であった。そのため、光信号を分化する方式では長距離伝送は困難であるとされていた。
また、敢えて長距離を伝送させる場合には、コードで連結する必要があり、コードの設置できる範囲は限定されることは勿論のこと、そのために敷設したコードが非常に邪魔になるという欠点があった。また、ファイバー線の設置コストも非常に高く、低価格な光伝送システムは残念ながら提供されていないのが実情であった。
【０００３】
低価格の伝送方式として今までは、アナログ信号を有線または無線で送受信させるのが一般的であった。しかし、アナログ信号による伝送では長距離を伝送させると信号の減衰や劣化が発生する欠点があり、その欠陥を補正する為には受信部において減衰や劣化した信号を回復させる為に常時機器を用意して増幅をしなければいけない本質的な欠陥があった。
【０００４】
また、データを利用する需要者の側からは、設置に要する経費とは無関係に、減衰の無いデジタル方式での送受信が求められていた。しかし、光伝送システム自体が高価なため安易に用いることができないものとされてきた。また、今までに開発されている製品には、ユニットを介して長距離伝送できるシステムがあったが、途中のユニットには信号の入力機構が付加されていなかったために不便であった。この為、光伝送システムで伝送したい情報は情報を発信する特定の場所から入力する必要があった。そこで、どのユニットからも情報を追加入力できる機能を備えた価格で長距離伝送可能なシステムの開発が望まれていた。
【０００５】
【発明が解決しようとする課題】
上記の問題を解決するために本発明の各ユニットから入力可能な光伝送システムは、送受信部である送受信ユニットで受信した光信号をデジタル変換し、再度デジタル信号（ビデオ信号、オーディオ信号、データ信号）を光信号へ変換して光信号として送信することが可能であり、また、受信した光信号をデジタル変換しデジタル信号として出力したり、またはＤ／Ａ変換しアナログ信号として出力することが可能であった。更に、新たに各ユニットで入力されたデジタル信号、およびアナログ信号のオーディオ信号、ビデオ信号、データ信号等をアナログ信号はＡ／Ｄ変換してから光信号に変換することにより光送信を可能にした各ユニットから入力可能な、光の分化、減衰を防ぎかつ長距離の伝送に耐えられる低価格な光伝送システムを提供することを目的としている。
【０００６】
さらに、複数の信号を入力できるシステムであって、且つ各ユニットからも信号入力可能で、別の送受信ユニットにシリアルに送信することにより送受信ユニットを追加して、減衰や劣化せずに各送受信ユニットでデジタル出力、またはアナログ出力、同時出力が可能で且つ無限に信号を電送させることが出来る各ユニットから入力可能な光伝送システムを提供することを目的としている。
【０００７】
【課題を解決するための手段】
上記の目的を達成するために本発明に係る各ユニットから入力可能な光伝送システムは、複数の光ファイバに接続されて複数の光信号を送受信する光伝送システムであって、受信した複数の光信号をＲＸ部においてそれぞれデジタル信号に変換し、デジタル出力および／またはＤ／Ａ（デジタルからアナログへ）変換した後にアナログ出力する系列と、ＲＸ部で変換した複数のデジタル信号をＴＸ部においてそれぞれ光信号に変換して複数の光ファイバで送信する系列の２系列に分岐する機能を装備したユニットを連続的に接続した減衰または劣化のない長距離伝送可能な光伝送システムにおいて、各ユニットは、ＲＸ部から出力されるデジタル信号を任意の信号に変換して出力可能とするとともに、光信号の他にデジタル信号、デジタルデータの各種信号を入力できる機構およびアナログ信号を入力してＡ／Ｄ変換する機構を装備した構成である。
【０００８】
ユニットは、受信した光信号をＲＸ部で変換したデジタル信号または、入力されたデジタル信号、デジタルデータおよびアナログ信号をＡ／Ｄ変換したデジタル信号が入力されるディップスイッチ、トグルスイッチ、リモコン（赤外線、電波）等のセレクタを備えており、セレクタは入力された各種信号から信号を選択してＴＸ部に伝送する構成である。
【０００９】
ユニットは、各ユニットに入力される複数の信号に対応した複数のＲＸ部、および／またはＴＸ部を追加することにより多入力、多出力に対応できる構成である。
【００１２】
【作用】
本発明に係る各ユニットから入力可能な光伝送システムは、受信した光信号をＲＸ部においてデジタル信号に変換し、ＴＸ部に伝送する。伝送されたデジタル信号は各ＴＸ部において光信号に変換し送信する。
また、ＲＸ部で光信号からデジタル信号に変換し、デジタル信号を出力、およびＤ／Ａ変換部でＤ／Ａ変換してからアナログ信号を出力する。
更に、本発明に係る各ユニットから入力可能な光伝送システムは、新たに入力されたデジタル信号とアナログ信号を、アナログ信号はＡ／Ｄ変換してＴＸ部に伝送する。伝送されたデジタル信号は各ＴＸ部で光信号に変換され送信する。
【００１３】
また、複数の信号を同時入力可能であり、入力された複数の種類の信号はセレクタで選択可能であり、ディップスイッチ、トグルスイッチ、リモコンの選択手段によって選択された信号はアナログ信号の場合はＡ／Ｄ変換され、選択された各信号はＴＸ部において光信号に変換され次の送受信ユニットに送信される。
各ユニットに入力される又は新たに各ユニットに入力されるアナログ信号、デジタル信号、光信号の数は制限はなく、ＲＸ部、および／またはＴＸ部を追加することによって多入力、多出力の構成も可能である。
光信号と新たに各ユニットに入力されるデジタル信号、およびアナログ信号は同時入力が可能であり、また同時出力も可能である。
【００１４】
【発明の実施の形態】
以下に本発明に係る各ユニットから入力可能な光伝送システムを図面に示す実施例に基づき詳細に説明する。図１は本発明の各ユニットから入力可能な光伝送システムのブロック図であり、図２はセレクタを内包した各ユニットから入力可能な光伝送システムのブロック図である。また図３は本発明の各ユニットから入力可能な光伝送システムの工程を示すフローチャートであり、（ａ）は光信号の工程を示すフローチャートであり、（ｂ）は新たに入力されたデジタル信号の工程を示すフローチャートであり、（ｃ）はアナログ信号の工程を示すフローチャートである。
【００１５】
各ユニットから入力可能な光伝送システムは、光信号を、ＲＸ部で受信し、さらにデジタル信号に変換して、ＴＸ部に伝送しＴＸ部において光信号に変換して次のユニットに送信する送受信ユニットであって、継続している途中の各ユニットからも信号入力が可能な構成である。従来の受信ユニットまたは送受信ユニットには、途中から入力する機能がなかった点で、従来の送受信ユニットとは構造的に異なる。
本発明にかかる各ユニットから入力可能な光伝送システムは、新たにデジタル信号、およびアナログ信号の入力が可能であり、アナログ信号はＡ／Ｄ変換して、各ＴＸ部で光信号に変換してから送信する構成である。
【００１６】
光伝送システムの基本的な工程は、ＲＸ部において光信号を受信する光受信工程２０と、光信号をデジタル信号へ変換するデジタル変換工程３０と、デジタル信号を各ＴＸ部に伝送し各ＴＸ部において光信号に変換する光変換工程４０と、変換された光信号を送信する光送信工程５０と、デジタル信号を出力するデジタル出力工程６０と、デジタル信号をＤ／Ａ（デジタルからアナログへの）変換するＤ／Ａ変換工程７０と、アナログ信号を出力するアナログ出力工程８０とからなる基本構成であり、本発明に係る各ユニットから入力可能な光伝送システム１０は、上記の基本構成である光受信工程２０と、デジタル変換工程３０に、新たに入力されたデジタル信号、およびアナログ信号をアナログ信号はＡ／Ｄ変換するＡ／Ｄ変換工程９０と、ＲＸ部から伝送されるデジタル信号と新たに入力されたデジタル信号、およびデジタル信号に変換されたアナログ信号を各ＴＸ部に伝送し各ＴＸ部において光信号に変換する光変換工程４０とが付加された構成で、光送信工程５０と、デジタル出力工程６０と、Ｄ／Ａ変換工程７０と、アナログ出力工程８０とからなる。
【００１７】
本発明の各ユニットから入力可能な光伝送システムの送受信ユニットに各ユニットに入力される信号も又、新たに各ユニットに入力される信号も、その種類に制限はなく、ビデオ信号、オーディオ信号、データ信号、デジタルデータ等を入力することができる。
また、複数のＲＸ部とＴＸ部を追加することにより多入力多出力とすることも可能である。
【００１８】
入力された光信号、又は新たに入力されたアナログ信号、デジタル信号はセレクタにて選択可能である為、任意の信号を出力させることも可能であり、更に光信号で出力する際もセレクタで選択可能である為、任意の信号を送信することが可能である。
【００１９】
図１は、本発明の各ユニットから入力可能な光伝送システムのブロック図である。受信した光信号はＲＸ部１２で受信してデジタル信号に変換される。変換されたデジタル信号は、そのままデジタル出力するか、またはデジタル信号をＤ／Ａ変換部２８でアナログ信号に変換し出力するか、またはＴＸ部２２に伝送して光信号に変換して送信する。また、新たに各ユニットにおいてデジタル信号、およびアナログ信号を入力可能であり、アナログ信号はＡ／Ｄ変換部２５でデジタル信号に変換されＴＸ部２２に伝送される。ＴＸ部２２で新たに入力されたデジタル信号と、デジタル信号に変換されたアナログ信号は光信号に変換され送信される構成である。
【００２０】
これにより、カスケード接続して光信号を長距離伝送させる際に、途中箇所の光伝送送受信ユニットにて新たに信号を入力して伝送することが可能となるので、入力源が限定されない為、自由にどの中継点からも情報量を増加させ、かつその情報を共有することが可能となる。従来はオリジナルの発信地点まで情報を届けて入力する必要があったのに較べて格段に便利である。
【００２１】
図２は、セレクタを内包した各ユニットから入力可能な光伝送システムのブロック図である。受信した光信号はＲＸ部１２で受信してデジタル信号に変換される。変換されたデジタル信号は、そのままデジタル出力するか、またはデジタル信号をＤ／Ａ変換部２８でアナログ信号に変換し出力するか、またはセレクタ２９に伝送する。また、新たにアナログ信号およびデジタル信号を入力可能であり、アナログ信号はＡ／Ｄ変換部２５でデジタル信号に変換されセレクタ２９に伝送される。セレクタ２９で伝送された信号をリモコン、ディップスイッチ、トグルスイッチ等選択手段で選択しＴＸ部２２に伝送することも可能である。ＴＸ部２２に伝送された各デジタル信号は光信号に変換され送信される構成である。
また、ＲＸ部１２、およびＴＸ部２２は複数個追加することも可能であり、多入力多出力に対応することが可能である。
さらに、セレクタ２９の設置位置は限定されないので、任意の場所で選択することが可能となる。
【００２２】
各信号は同時入力、同時出力が可能であり、ＥＭＩ，ＲＦＩ，グランド・ループに対して全てフリーであり、高、中、低周波数帯域成分のフィルタリングも可能であり、多彩な信号処理が可能となる点に大きな特徴がある。
【００２３】
この実施例では、ＷＤＭ（Ｗａｖｅｌｅｎｇｔｈ  Ｄｉｖｉｓｉｏｎ  Ｍｕｌｔｉｐｌｅｘ＝波長分割多重）方式（１本の光ファイバに異なる波長の光を通してチャンネルを多重化することで、大容量のデータを双方向で伝送する技術）を採用していない。本件発明では、１つのデータ伝送を１本のファイバ線で伝送する方式であるため、減衰、劣化の心配がない。またＷＤＭ方式で用いられる光ファイバ伝送装置で使用されるレンズを必要としないため装置がコンパクトとなりかつ安価な装置を構築することができる。
例えばビデオ信号でこのシステムを用いると、Ｒ，Ｇ，Ｂそれぞれの信号とコントロール、クロックの５つの信号を５本に分けて伝送するためダイレクトにデータを伝送することが可能になる。そのため、減衰、劣化がなくダイレクトに大容量の信号を送信することが可能となる
【００２４】
各ユニットから入力可能な光伝送システムは上記のシステムを用いている為、データ信号、またはビデオ信号、またはオーディオ信号等を減衰、劣化なく長距離伝送することが可能となった。
また、各ユニットから入力可能な光伝送システムは、前述のシステムの例の５つの信号に限定されず、より多くの信号にも対応可能である。
【００２５】
本発明にかかる各ユニットから入力可能な光伝送システムの応用範囲は大変広く、病院、学校等建物で光伝送システムと、この各ユニットから入力可能な光伝送送受信ユニットを使用することによって、何処からでも緊急連絡、情報の送受信等が可能になる。また、ＲＸ部、ＴＸ部を追加した光伝送送受信ユニットを使用することにより、多入力多出力に対応でき、情報を統括できる主要部となる光伝送送受信ユニットを作ることができる。
また、大きなコンサート会場の隅々まで減衰しない音質・音量・映像を到達させることが可能である。これにより、野外ステージに於けるマンモスコンサートにおける効果的な音響システム・映像システムの構築も可能となる。さらに、アプリケーションとしては、車載用オーディオシステムや、巨大ホール等の音響・映像システム、カラオケボックスの音響・映像、さらには、航空機や船舶、列車等の映像・音声配信装置等々にも応用が可能であり、小型で高耐久性のある音響・映像システムを提供することができる。音源ＨＵＢとして使用することにより１  本で数チャンネルのオーディオ接続が可能となる。
【００２６】
各ユニットから入力可能な光伝送システムの全体の操作工程としては、まず、光受信工程２０は、伝送源となるユニットから送信された光信号を受信する工程で、ＲＸ部１２において光信号を受信する。
【００２７】
デジタル変換工程３０は、光信号をデジタル信号に変換する工程である。
【００２８】
光変換工程４０は、ＴＸ部２２においてデジタル信号を光信号に変換する工程である。
【００２９】
光送信工程５０は、ＴＸ部２２において変換された光信号を送信する工程である。
【００３０】
デジタル出力工程６０は、出力工程の一例であり、光信号をデジタル信号に変換した状態でデジタル信号として出力する工程である。
【００３１】
Ｄ／Ａ変換工程７０は、光信号からデジタル信号に変換されたデジタル信号をさらにＤ／Ａ変換部２８においてデジタルからアナログへ変換する工程で、Ｄ／Ａ変換によりアナログ信号を発生する。
【００３２】
アナログ出力工程８０は、変換されたアナログ信号を出力する工程であり、デジタル出力のない場合や、従来のアナログ出力機器を有効に活用する場合に効果的である。
【００３３】
Ａ／Ｄ変換工程９０は、新たに入力されたアナログ信号をＡ／Ｄ変換部２５においてＡ／Ｄ変換（アナログからデジタルへ）する工程である。これにより、新たに入力される信号の種類を問うことがなくなり、全ての信号が途中の各ユニットにおいて入力可能となる。
【００３４】
【発明の効果】
１．全体のシステムを構成する各ユニットが入力源となれるので、情報の発信源としても使用することができる点で画期的である。また、低コストで減衰または劣化なくビデオ・オーディオ・データ信号等を長距離伝送することができるので、大きなコンサート会場であっても隅々まで質の高い音楽を響き渡らせることが出来る。特に野外ステージでも敷設コストを押さえた状態で広範囲に映像または音声（音楽）を伝搬させることができる。
また、軽量な構造なので、持ち運びも容易である。
アナログ信号をＡ／Ｄ変換してデジタル信号を光信号に変換して送信するので減衰がない。また、光信号をデジタル信号に変換し、Ｄ／Ａ変換してアナログ出力するので、増幅器等の設備が不要となる点で低コストを実現できる。
光信号、デジタル信号、アナログ信号の区別なく取込み組合せが可能であるので有効利用が可能である。
【００３５】
２．複数の信号の入力が可能で、セレクタによって選択してＡ／Ｄ変換し、光信号に変換してから送信するので減衰がない。また、送信した光信号をデジタル信号に変換しさらに光信号に変換する事により、光出力可能な系列と、デジタル出力、および／またはアナログ出力可能な系統の２種類の系列に分岐させることにより、別の送受信ユニットを介してシリアルに送信できるので、無限に減衰や劣化せずに信号を電送させることが可能となり、その上に、中継点でも入力が可能となった。また、各送受信ユニットにおいて、入力も可能であるが、デジタル出力および／またはアナログ出力も可能である。
これにより、低コストでありながらシリアルに接続した効果的な音響システムの構築が可能となる。劣化減衰がないので長距離の伝送も可能である。また、車載用オーディオシステムや、巨大ホール等の音響システム、カラオケボックスの音響等々に利用できる他に、航空機や船舶、列車等にも応用が可能である。
【００３６】
３．複数のＲＸ部、および／またはＴＸ部を追加することにより複数の信号を多入力して、多出力する形態を構成することができるので、自由自在にシステムを利用することができる。小型・高耐久性のある音響システムである。
【図面の簡単な説明】
【図１】本発明の各ユニットから入力可能な光伝送システムのブロック図
【図２】セレクタを内包した各ユニットから入力可能な光伝送システムのブロック図
【図３】（ａ）〜（ｃ）は本発明の各ユニットから入力可能な光伝送システムの操作工程のフローチャート
【符号の説明】
１      送受信ユニット
１０    各ユニットから入力可能な光伝送システム
１２    ＲＸ部
２２    ＴＸ部
２５    Ａ／Ｄ変換部
２８    Ｄ／Ａ変換部
２９    選択装置（セレクタ）
２０    光受信工程
３０    デジタル変換工程
４０    光変換工程
５０    光送信工程
６０    デジタル出力工程
７０    Ｄ／Ａ変換工程
８０    アナログ出力工程
９０    Ａ／Ｄ変換工程
【図１】
0003629223.tif 000002
【図２】
0003629223.tif 000003
【図３】
0003629223.tif 000004